(57)【要約】【課題】  発生する臭いに応じた香料を選択して噴霧し、より快適な屋内環境を提供することができる、芳香装置及びこれを備えた遊技機を提供する。また、利用者の好みの芳香を発生させることにより、利用者の好みに応じた屋内環境を提供する。【解決手段】  所定の種類の臭気に感度を有する臭気センサ１２ａ、１２ｂ、１２ｃを１以上備え、各センサが検知した信号から、臭気の種別を判別し、判別した臭気の種類に応じて前記香料の選択をする香料選択手段と、を備え、香料噴霧制御手段は、連通する前記香料タンクに収納されている香料を噴霧する、芳香装置1及びこれを備えた遊技機を提供する。【選択図】        図１０
2007007006.tif 000002
【特許請求の範囲】
【請求項１】
互いに臭いの異なる複数種類の香料を個別に収納する複数の収納容器と、
前記複数の収納容器に個別に連通する複数の流路及び前記複数の流路に連通する複数のノズルと、を備え、
前記複数のノズルから前記収納容器に収納される前記香料を霧状に噴霧する複数の香料噴霧手段と、
前記香料噴霧手段を制御する香料噴霧制御手段と、を有する芳香装置であって、
所定の種類の臭気に感度を有するセンサを１以上備える臭気検知手段と、
前記臭気検知手段が検知した臭気の種別を判別する臭気判別手段と、
前記臭気判別手段が判別した臭気の種類に応じて前記複数種類の香料から少なくとも一の香料の選択を実行する香料選択手段と、を備え、
前記香料噴霧制御手段は、前記香料選択手段によって選択された少なくとも一の香料を前記香料噴霧手段により前記ノズルを介して外部に噴霧することを特徴とする芳香装置。
【請求項２】
香料の種類を表示する表示手段と、
前記表示手段に表示した前記香料の種類についての選択入力を受け付ける香料種類選択受付手段と、をさらに有し、
前記香料噴霧制御手段は、前記香料種類選択受付手段により外部から選択入力された香料を前記複数種類の香料が個別に収納される前記収納容器から、前記ノズルを介して外部に噴霧するように、前記香料噴霧手段を制御することを特徴とする請求項１に記載の芳香装置。
【請求項３】
前記香料を噴霧する時間を管理する噴霧時間管理手段と、
前記表示手段に表示した前記香料を噴霧する噴霧時間及び噴霧間隔についての入力を受け付ける噴霧時間・噴霧間隔入力受付手段をさらに有し、
前記香料噴霧制御手段は、前記香料噴霧手段を制御して、予め記憶部に記載される所定の時間の間及び所定の時間間隔又は前記噴霧時間・噴霧間隔入力受付手段が受け付けた前記噴霧時間及び前記噴霧間隔で前記香料を噴霧することを特徴とする請求項１又は２に記載の芳香装置。
【請求項４】
前記香料種類選択受付手段により外部から選択入力された香料選択データを記憶する記憶部と、
前記香料選択データを記憶するために外部記憶装置と通信を行う外部記憶通信手段と、を備え、
前記記憶部又は前記外部記憶通信手段から、前記香料選択データを読み出して受付をする香料選択データ読出手段を有する請求項１から３のいずれかに記載の芳香装置。
【請求項５】
ネットワークに接続可能な通信手段を備える管理サーバと、
前記ネットワークに接続可能なネットワーク接続手段をさらに備える請求項１から４のいずれかに記載の１以上の芳香装置と、で構成される芳香システムであって、
前記管理サーバは、前記ネットワークを介して、前記１以上の芳香装置が選択している香料選択データを記憶する記憶手段と、
記憶した前記香料選択データに基づいて、隣り合う前記１以上の芳香装置が、異なる前記香料を選択しているときに、当該前記１以上の芳香装置において、選択される前記香料の種類を制限する、香料選択制限手段と、を含む、芳香システム。
【請求項６】
請求項１から４のいずれかに記載の芳香装置を備えた遊技機であって、所定数の遊技媒体が投入されることによって遊技可能となるか、あるいは、所定のクレジット数を消費して遊技可能に制御されることを契機として、前記香料噴霧手段は香料を噴霧し、
遊戯の終了を契機として前記香料噴霧手段は香料の噴霧を終了することを特徴とする遊技機。
【発明の詳細な説明】
【技術分野】
【０００１】
この発明は、芳香装置の周囲の臭いを検知し、周囲の臭いに応じた香料を選択して発生させる、芳香装置及びこれを備えた遊技機に関するものである。
【背景技術】
【０００２】
生活空間や人の集まる場所においては、快適な屋内環境を維持するために、いかに悪臭を押さえるかが課題となっている。特に、パチンコホール等の遊技場においては、臭いの問題を解決することが急務となっている。遊技場では、多くの利用者が集まり、遊技を楽しんでいるが、中には、遊技中に喫煙を継続して行う利用者も少なくない。また、暖房を利かせすぎたり、夏場などに気温が高くなってきたりすることで、利用者が汗をかき、体臭が発することもある。このように、遊技場のような人の多く集まる閉鎖空間では、タバコの煙や体臭等の様々な臭いが充満する要因が多いため、快適な屋内環境を提供することができず、結果として利用者の数を減少させてしまうことがある。
【０００３】
従来は、屋内全体の空調もしくは遊技機の島の上に置かれる脱臭装置等を用いて、空気の清浄化を行うことで対応していた。しかし、実際はこれらのみでは十分に対応できず、タバコ臭や体臭のような様々な臭いが屋内に立ちこめるままとなり、利用者は快適とはいえない環境で遊技を行うことを強いられていた。
【０００４】
そこで、タバコの煙を検知してタバコの煙を吸引したり、利用者の遊技開始や終了を感知して脱臭したり、芳香を発生させたりする発明が開示されている。
【特許文献１】特開平７−８０１４７号公報
【特許文献２】特開平１０-７１２６３号公報
【発明の開示】
【発明が解決しようとする課題】
【０００５】
特許文献１では、手動もしくは煙センサが煙を検知して、利用者のタバコの煙を吸引する遊技機が開示されている。しかし、タバコの煙を吸引するのみでは、タバコの臭いや体臭等の様々な臭いが周囲に拡散することを防ぐことができず、消臭効果は十分ではない。
【０００６】
また、特許文献２では、エアーカーテンを用いて周囲に臭いが拡散するのを防止しつつ、消臭したり、芳香を発生させたりする装置が開示されている。しかし、消臭を行う方法は１種類しか選択することができず、異なる臭いに応じた消臭方法を選択することができない。さらに、発生させる芳香の種類も１種類のみであり、利用者が何度も訪れるにつれて、利用者が芳香に飽きてしまったり、発生する芳香の種類が利用者の嫌いな匂いであった場合には、利用者に苦痛を与えることとなる。
【０００７】
本発明の目的は、発生する様々な臭いに応じた香料を噴霧することができ、かつ利用者の好みの芳香を発生させることにより、より快適な屋内環境を提供することができる、芳香装置及びこれを備えた遊技機を提供することである。
【課題を解決するための手段】
【０００８】
以上のような課題を解決するために、本発明は、以下のような芳香装置及びこれを備えた遊技機を提供する。
【０００９】
（１）互いに臭いの異なる複数種類の香料を個別に収納する複数の収納容器と、前記複数の収納容器に個別に連通する複数の流路及び前記複数の流路に連通する複数のノズルと、を備え、前記複数のノズルから前記収納容器に収納される前記香料を霧状に噴霧する複数の香料噴霧手段と、前記香料噴霧手段を制御する香料噴霧制御手段と、を有する芳香装置であって、所定の種類の臭気に感度を有するセンサを１以上備える臭気検知手段と、前記臭気検知手段が検知した臭気の種別を判別する臭気判別手段と、前記臭気判別手段が判別した臭気の種類に応じて前記複数種類の香料から少なくとも一の香料の選択を実行する香料選択手段と、を備え、前記香料噴霧制御手段は、前記香料選択手段によって選択された少なくとも一の香料を前記香料噴霧手段により前記ノズルを介して外部に噴霧することを特徴とする芳香装置。
【００１０】
（１）に記載の発明によれば、臭気判別手段が判別した臭気の種別に応じて、香料を自動的に選択して、香料を噴霧することができる。これにより、例えば、タバコの臭いや体臭といった、発生する臭いに応じて、異なる臭いを消臭することができ、快適な屋内環境を提供することが可能な芳香装置を提供することができる。
【００１１】
（２）香料の種類を表示する表示手段と、前記表示手段に表示した前記香料の種類についての選択入力を受け付ける香料種類選択受付手段と、をさらに有し、前記香料噴霧制御手段は、前記香料種類選択受付手段により外部から選択入力された香料を前記複数種類の香料が個別に収納される前記収納容器から前記ノズルを介して外部に噴霧するように、前記香料噴霧手段を制御することを特徴とする（１）に記載の芳香装置。
【００１２】
（２）に記載の発明によれば、香料の種類について、香料種類選択受付手段が利用者の選択を受け付けて、その選択に応じた香料の噴霧をすることができる。これにより、自動的に芳香装置が選択した香料の種類を噴霧するだけでなく、利用者の好みを反映した香料を噴霧することができるので、利用者の好みに応じた快適な屋内環境を提供することが可能な芳香装置を提供することができる。
【００１３】
（３）前記香料を噴霧する時間を管理する噴霧時間管理手段と、前記表示手段に表示した前記香料を噴霧する噴霧時間及び噴霧間隔についての入力を受け付ける噴霧時間・噴霧間隔入力受付手段をさらに有し、前記香料噴霧制御手段は、前記香料噴霧手段を制御して、予め記憶部に記載される所定の時間の間及び所定の時間間隔又は前記噴霧時間・噴霧間隔入力受付手段が受け付けた前記噴霧時間及び前記噴霧間隔で前記香料を噴霧することを特徴とする請求項１又は２に記載の芳香装置。
【００１４】
（３）に記載の発明によれば、香料を噴霧する時間を管理して、噴霧している時間や、噴霧を行う時間間隔を決めて香料を噴霧することができる。これにより、例えば数分間香料の噴霧を継続して、これを１時間おきに繰り返す等の変化を加えた香料の噴霧を行うことができる。
【００１５】
（４）前記香料種類選択受付手段により外部から選択入力された香料選択データを記憶する記憶部と、前記香料選択データを記憶するために外部記憶装置と通信を行う外部記憶通信手段と、を備え、前記記憶部又は前記外部記憶通信手段から、前記香料選択データを読み出して受付をする香料選択データ読出手段を有する（１）から（３）のいずれかに記載の芳香装置。
【００１６】
（４）に記載の発明によれば、香料選択データを記憶部に記憶したり、外部記憶装置に記憶させることができるので、利用者は、好みの香料の種類を、例えばメモリーカード等の記憶媒体や携帯端末に記憶することができる。これにより、例えば、利用者が次回芳香装置を利用する際には、記憶した香料選択データを入力することにより、好みの環境にすることが可能な芳香装置を提供することができる。
【００１７】
（５）ネットワークに接続可能な通信手段を備える管理サーバと、前記ネットワークに接続可能なネットワーク接続手段をさらに備える（１）から（４）のいずれかに記載の１以上の芳香装置と、で構成される芳香システムであって、前記管理サーバは、前記ネットワークを介して、前記１以上の芳香装置が選択している香料選択データを記憶する記憶手段と、記憶した前記香料選択データに基づいて、隣り合う前記１以上の芳香装置が、異なる前記香料を選択しているときに、当該前記１以上の芳香装置において、選択される前記香料の種類を制限する、香料選択制限手段と、を含む、芳香システム。
【００１８】
（５）に記載の発明によれば、管理サーバは、隣り合う１以上の芳香装置から香料選択データを取得する。そして、芳香装置について、隣り合う芳香装置と異なる香料が選択するときに、選択できる香料の種類を制限することができる。これにより、例えば隣で異なる香料の種類が選択されるようなときに、それぞれの香料のにおいが影響し合うことのないようにすることが可能な芳香装置を提供することができる。
【００１９】
（６）（１）から（４）のいずれかに記載の芳香装置を備えた遊技機であって、所定数の遊技媒体が投入されることによって遊技可能となるか、あるいは、所定のクレジット数を消費して遊技可能に制御されることを契機として、前記香料噴霧手段は香料を噴霧し、遊戯の終了を契機として前記香料噴霧手段は香料の噴霧を終了することを特徴とする遊技機。
【００２０】
（６）に記載の発明によれば、芳香装置を備えた遊技機で、遊技媒体の投入もしくはクレジットの受付を検知したことを契機として、芳香装置の香料噴霧手段が香料の噴霧を開始し、遊戯の終了を契機として香料噴霧手段は香料の噴霧を終了することができる。これにより、遊戯中に芳香装置の噴霧をすることができるので、利用者がいないときに香料を噴霧しないようにすることが可能な芳香装置を備えた遊技機を提供することができる。
【発明の効果】
【００２１】
発生する臭いに応じた香料を選択して噴霧し、より快適な屋内環境を提供することができる、芳香装置及びこれを備えた遊技機を提供する。また、利用者の好みの芳香を噴霧することにより、利用者の好みに応じた屋内環境を提供する。
【発明を実施するための最良の形態】
【００２２】
以下に、本発明の好適な実施形態を図面に基づいて説明する。
【００２３】
図１は、本発明における、芳香装置１の概略構成を示した図である。芳香装置１は、香料ガス噴霧口２と、臭気センサ１２ａ、１２ｂ、１２ｃを収納するセンサボックス１０、臭気センサ１２ａ、１２ｂ、１２ｃで構成され、また現在噴霧している香料を表示したり、噴霧する香料を選択するための表示を行う表示装置４、表示装置４の表示画面６、表示画面６に表示される選択肢等を選択するための十字キー５、選択を確定するための入力ボタン７ａ、選択を解除するキャンセルボタン７ｂ、香料の噴霧を中断するためのストップボタン７ｃ等を備える。尚、臭気センサの数は、これに限られない。
【００２４】
また、メモリーカード等と接続するためのカードスロット１４、外部接続端子１５、赤外線通信を行うための赤外線通信部１６を備えてもよい。また、裏面には（図示せず）、電源スイッチやコンプレッサ４０のための空気取り入れ口、ネットワークに接続するための通信接続部６２、香料を収納する香料タンクを出し入れするための出し入れ口等を備えてもよい。
【００２５】
図２は、芳香装置１における芳香動作を制御する主制御部２２と、主制御部２２に電気的に接続する周辺装置と、主制御部２２から送信される制御指令に基づいて表示装置５を制御する副制御部４６とを含む回路構成を示す。
【００２６】
主制御部２２は、予め設定されたプログラムに従って制御動作を行うＣＰＵ２４と、記憶手段であるＲＯＭ２６及びＲＡＭ２８で構成される。
【００２７】
主制御部２２のＲＯＭ２６には、副制御部４６へ送信するための各種制御指令（コマンド）等が格納されている。副制御部４６が主制御部２２へコマンド、情報等を入力することはなく、主制御部２２から副制御部４６への一方向で通信が行われる。ＲＡＭ２８には、種々の情報が格納される。臭気センサ１２ａ、１２ｂ、１２ｃからの信号入力を処理する信号処理回路３６からＡ/Ｄコンバータ３４によってデジタル信号に変換した信号入力値を用いて、臭気の判別に用いられる臭気判別テーブル（図３）、判別した臭気の種類に応じた香料を噴霧するための香料選択テーブル（図４）、その他例えば、フラグ、香料の噴霧状態の情報、噴霧時間の設定等が格納される。
【００２８】
図２の回路において、主制御部２２の制御信号により動作が制御される主要な周辺装置としては、ファン３２と、コンプレッサ４０と、香料タンクポンプ４４と、香料噴射ヘッド５２と、とがある。
【００２９】
更に、ファン３２を駆動制御するファン制御回路３０、コンプレッサ４０を駆動制御するコンプレッサ駆動回路３８、香料タンクポンプ４４を駆動制御する香料タンクポンプ駆動回路４２、香料噴射ヘッド５２から香料を圧出するための圧力制御回路５０、がＣＰＵ２４の出力部に接続されている。これらの駆動回路は、それぞれＣＰＵ２４から出力される駆動指令などの制御信号を受けて、各周辺装置の動作を制御する。
【００３０】
また、主制御部２２が制御指令を発生するために必要な入力信号を発生する主な入力信号発生手段としては、臭気センサ１２ａ、１２ｂ、１２ｃ、タイマー６０、通信接続部６２、遊技機接続部６３、表示画面６に表示される選択肢等を選択するための十字キー５、選択を確定するための入力ボタン７ａ、選択を解除するキャンセルボタン７ｂ、香料の噴霧を停止するためのストップボタン７ｃがある。
【００３１】
臭気センサ１２ａ、１２ｂ、１２ｃは、センサ周囲の臭気を検知する。そして、臭気センサ１２ａ、１２ｂ、１２ｃからの信号入力値は、信号処理回路３６からＡ/Ｄコンバータ３４でデジタル信号に変換されてＲＡＭ２８に格納される。
【００３２】
臭気センサとしては、酸化物半導体センサや導電性高分子センサ、水晶振動子の表面にガス吸着膜を形成したセンサ、ＳＡＷ（Ｓｕｒｆａｃｅ  Ａｃｏｕｓｔｉｃ  Ｗａｖｅ：表面弾性波）デバイスの表面にガス吸着膜を形成したセンサなどがある。これらのようなガスセンサにおいて、センサ毎に感度の高いにおいの種類や、感度があまり高くないにおいの種類が異なる。芳香装置１においては、例えば、タバコのにおい成分として多く含まれるアルデヒド類や、汗や体臭のにおい成分として多く含まれるイソ吉草酸等などの、対応したい悪臭物質毎に特に感度の高いセンサ素子で構成する。
【００３３】
そして、あるセンサに感度の高い悪臭物質が臭気センサの周囲にある場合、悪臭物質に高い感度を有する臭気センサの出力信号値が通常時に比べ大きく変動する。この変動幅について閾値を設け、その閾値を超えた場合に、特定の悪臭が発生しているとみなすことができる。これを利用して、例えば、図３のように、ＲＯＭ２６に格納される臭気判別テーブル７０を使用して、どの種類の臭気が臭気センサの周囲に存在するかを判別する。
【００３４】
図３の臭気判別テーブル７０は、センサフィールド７２、閾値フィールド７４、臭気種類フィールド７６で構成されている。センサフィールド７２には、芳香装置１に備えている臭気センサに符号がつけられており、その符号が格納されている。閾値フィールド７４には、各センサの出力信号の変動幅における閾値が格納される。また、臭気種類フィール７６には、臭気センサ毎に感度の高い臭気の種類が格納されている。例えば、Ａという符号の付された臭気センサにおいて、臭気センサＡの出力信号の変動値が１０００カウント以上であるとＣＰＵ２４が検知した場合、ＣＰＵ２４は、臭気センサＡの周囲にはタバコの臭気が存在する、と判別する。
【００３５】
図４の香料選択テーブル８０について説明する。
【００３６】
香料選択テーブル８０は、反応センサフィールド８２、香料フィールド８４で構成される。反応センサフィールド８２では、特定の臭気に反応して臭気判別テーブル７０の閾値フィールド７４に格納されている、反応したセンサの変動幅の閾値を超えた場合に、香料噴射ヘッド５２から噴霧する香料の種類が対応付けられている。
【００３７】
例えば、変動幅の閾値を超えたセンサがＡという臭気センサであった場合、そのとき、香料噴射ヘッド５２からは、香料フィールド８４において、対応する香料（ミント）を噴霧するよう、ＣＰＵ２４は、対応する香料（ミント）が収納されている香料タンクに連通する流路にある香料タンクポンプ４４を駆動させる。同時にＣＰＵ２４は、香料タンクに連通する流路に接続されている圧力弁を開け、コンプレッサ４０からの圧縮空気を送り込み、香料噴射ヘッド５２から香料を噴霧する。そして、ＣＰＵ２４は同時にファン駆動回路３０に駆動指令を送りファン３２を駆動させ、噴霧した香料のミストの気化を促進すると共に、香料ガス噴霧口２から気化した香料を排出し、拡散させる。
【００３８】
[メインフロー]
図５は、芳香装置１の噴霧処理を示すメインのフローチャートである。以下、噴霧処理のメインのフローを説明する。
【００３９】
ステップＳ１００では、芳香装置１の電源の投入を契機として芳香装置１の動作が開始される。又は、入力ボタン７ａ等のボタンの押下を契機として、動作開始としてもよい。この処理が終了した場合には、ステップＳ１０５に処理を移す。
【００４０】
ステップＳ１０５では、ＣＰＵ２４は、芳香装置１に遊技機が接続されているか否かを判別する。具体的には、遊技機接続部６３から制御信号を送り、遊技機からの制御信号を受け取ることにより判別する。ＣＰＵ２４が遊技機からの制御信号を受け取ることができたのであれば、ＣＰＵ２４は、遊技機が接続されているとして、遊技開始検知処理（ステップＳ１１０、図５）に処理を移す。この処理については、後述する。また、遊技機からの制御信号を受け取ることができない場合は、ＣＰＵ２４は遊技機が接続されていないと判別して、ステップＳ１１５に処理を移す。
【００４１】
ステップＳ１１５では、臭気センサ１２ａ、１２ｂ、１２ｃによる臭気の検知処理を行う。この処理の詳細については後述する（図８）。このサブルーチンでは、周囲の臭気の種類から適した香料を選択する処理を行う。この処理が終了した場合には、ステップＳ１２０に処理を移す。
【００４２】
ステップＳ１２０では、ステップＳ１１５のセンサ検知処理によって選択された香料の噴霧を開始する。具体的には、ＣＰＵ２４は、圧力制御回路５０に制御信号を送り、圧力制御回路５０は、香料タンクに連通する流路に接続されている圧力弁を制御し、コンプレッサ４０からの圧縮空気を送り込み、香料噴射ヘッド５２から香料を噴霧する。さらに、タイマー６０により、噴霧時間の計測を行う。この処理が終了した場合には、ステップＳ１２５に処理を移す。
【００４３】
ステップＳ１２５においては、ＣＰＵ２４は、処理の選択を行うか否かの選択の受付を行う。具体的には、例えば、ＣＰＵ２４は副制御部４６に制御信号を送り、副制御部４６は表示画面６に処理の選択肢を表示（図示せず）し、利用者は、十字キー５の押下により、選択をし、入力ボタン７ａの押下により、ＣＰＵ２４は選択を受け付ける。これは、例えば、センサの検知により選択された香料の噴霧の開始後、利用者が噴霧された香料の種類を変更したいというような需要に応えるためである。ＣＰＵ２４は、処理の選択を受け付けた場合には、ステップＳ１３０に処理を移し、処理選択フラグをＲＡＭ２８に格納する。また、ＣＰＵ２４が処理の選択を行わないという選択を受け付けた場合、もしくは所定の時間内に選択の受付が無かった場合は、ＣＰＵ２４は、ステップＳ１５５に処理を移す。
【００４４】
ステップＳ１３０では、ＣＰＵ２４は、ステップＳ１２５で受け付けた選択が香料選択データ選択処理であったか否かを判別する。香料選択データ選択処理であった場合は、ＣＰＵ２４は、ステップＳ１３５に処理を移す。また、ＣＰＵ２４が、ステップＳ１２５において受付をした選択が香料選択データ選択処理ではなかった場合は、ＣＰＵ２４はステップＳ１４０に処理を移す。
【００４５】
ステップＳ１３５においては、香料選択データの読み込み処理を行う。この処理の詳細については後述する（図１１）。この処理が終了した場合には、ステップＳ１５０に処理を移す。
【００４６】
ステップＳ１４０では、ステップＳ１２５において受付をした選択が香料選択処理であったかを判別する。香料選択処理の選択を受け付けた場合には、ステップＳ１４５に処理を移し、香料選択処理の選択を受け付けていない場合には、ステップＳ１５５に処理を移す。尚、香料選択処理の選択を受け付けていない場合とは、ステップＳ１１５のセンサ検知処理において選択された香料の噴霧を継続することを意味する。
【００４７】
ステップＳ１４５では、香料選択処理を行う。この処理において、ＣＰＵ２４は、表示画面６に香料の選択肢を表示し、利用者による香料の選択を受け付ける。この処理の詳細については、後述する（図１２）。この処理が終了した場合には、ステップＳ１５０に処理を移す。
【００４８】
ステップＳ１５０においては、ＣＰＵ２４は、ステップＳ１２０において噴霧している香料の噴霧を停止し、ステップＳ１３５において読み込まれた香料選択データにおいて指定された香料、もしくはステップＳ１４５の香料選択処理において選択された香料についての噴霧を開始する。この処理が終了した場合には、ステップＳ１５５に処理を移す。
【００４９】
ステップＳ１５５では、ＣＰＵ２４は、香料の噴霧時間もしくは噴霧する時間間隔の設定を行うか否かの選択の受付を行う。具体的には、ＣＰＵ２４は、表示画面６に設定を行うか否かの選択肢を表示し（図示せず）、十字キー５又は入力ボタン７ａによる入力の受付を行う。噴霧時間もしくは噴霧する時間間隔を設定する旨の選択を受け付けた場合には、ステップＳ１６０に処理を移す。また、設定しない旨の選択を受け付けた場合には、ステップＳ１６５に処理を移す。さらに、噴霧時間や噴霧する時間間隔を定めた噴霧時間・噴霧間隔デフォルト設定データを予めＲＯＭ２６に記憶しておき、設定をしない旨の選択を受け付けた場合は、これを適用してもよい。
【００５０】
ステップＳ１６０では、ＣＰＵ２４は、噴霧時間もしくは噴霧する時間間隔の設定の受付を行う。具体的には、ＣＰＵ２４は、副制御部４６に制御信号を送り、副制御部４６は、表示画面６に図１４のような設定画面を表示する。図１６では、例えば、噴霧時間と噴霧する時間間隔を入力するための入力ボックスが表示されている。また、入力ボックスの下部には、数字を入力するために、０から９までの数字が並んでいる。そこで、利用者は、十字キー５を操作して数字を選択し、入力ボタン７ａで選択した数字を確定する。そして、数字の確定入力を受け付ける度に、ＣＰＵ２４は、入力可能な箇所を点滅等で示しながら移動させ、利用者による選択の受付を行う。尚、入力方法は、これに限らない。例えば、表示画面６には数字を横に並べるのではなく、テンキーのように表示してもよいし、芳香装置１に数字を入力するためのテンキーを別に用意し、テンキーによる入力を受け付けてもよく、また、表示画面６上に接触センサ等を備えて、タッチパネル形式で表示画面６に表示された数字を入力可能としてもよい。そして、ＣＰＵ２４は、これらの設定について、噴霧時間・噴霧間隔設定データとしてＲＡＭ２８に記憶する。この処理が終了した場合には、ステップＳ１６５に処理を移す。
【００５１】
ステップＳ１６５では、ステップＳ１６０において噴霧時間もしくは噴霧間隔の設定の有無を判別する。具体的には、ＣＰＵ２４は、ＲＡＭ２８に、噴霧時間・噴霧間隔設定データが記憶されているか否かを判別する。噴霧時間・噴霧間隔設定データ又は噴霧時間・噴霧間隔デフォルト設定データが記憶されている場合には、ステップＳ１７０に処理を移し、噴霧時間・噴霧間隔設定データが記憶されていない場合には、ステップＳ１７２に処理を移す。
【００５２】
ステップＳ１７０では、噴霧時間及び噴霧間隔の判別処理を行う。この処理において、噴霧時間・噴霧間隔設定データに基づいて、噴霧時間の経過判断や設定された噴霧間隔で噴霧を行うか否かの判別を行う。この処理の詳細については後述する（図１３）。この処理が終了した場合には、ステップＳ１７２に処理を移す。
【００５３】
ステップＳ１７２では、ＣＰＵ２４は、芳香装置１に遊技機が接続されているか否かを判別する。具体的には、遊技機接続部６３を介して制御信号を送り、遊技機からの制御信号を受け取ることにより判別する。ＣＰＵ２４が遊技機からの制御信号を受け取ることができたのであれば、ＣＰＵ２４は、遊技機が接続されているとして、ステップＳ１７３に処理を移す。この処理については、後述する。また、遊技機からの制御信号を受け取ることができない場合は、ＣＰＵ２４は遊技機が接続されていないと判別して、ステップＳ１７５に処理を移す。
【００５４】
ステップＳ１７３では、ＣＰＵ２４は、遊技が終了したか否かの判別を行う。具体的には、遊技機から送信される遊技終了の旨の信号を受け付けることにより、ＣＰＵ２４は、遊技が終了したと判別する。遊技機からの遊技終了の旨の信号を受け付けた場合には、ＣＰＵ２４は、遊技が終了したと判別し、ステップＳ１７５に処理を移し、遊技機からの遊技終了の旨の信号の受付が無い場合には、ステップＳ１７４に処理を戻す。
【００５５】
ステップＳ１７４では、ＣＰＵ２４は、処理選択があったか否かを判別する。具体的には、ＲＡＭ２８に、ステップＳ１２５において、処理選択フラグが格納されていれば、処理選択があったとして、ステップＳ１５０（図５）に処理を戻す。また、処理選択フラグが格納されていない場合は、ＣＰＵ２４は、処理選択は無かったと判別してステップＳ１１５（図５）に処理を移す。
【００５６】
ステップＳ１７５では、ＣＰＵ２４は、一連の噴霧動作を終了するか否かの判別を行う。具体的には、例えば、ストップボタン７ｃの押下の受付により、一連の噴霧動作の終了とする。もしくは、ステップＳ６０５（図１３）で噴霧時間が経過して噴霧を中止している場合には、ＣＰＵ２４は、一連の噴霧動作を終了するか否かの表示を表示画面６に行う。利用者は、終了する旨の選択肢を十字キー５により選択し、さらに入力ボタン７ａの押下により、一連の噴霧動作の終了と判別してもよい。当該判別において、一連の噴霧動作を終了しない場合には、ステップＳ１７８に処理を移す。
【００５７】
ステップＳ１７８では、ＣＰＵ２４は、ステップＳ１２５において、処理の選択処理が行われた否かの判別を行う。具体的には、ＣＰＵ２４は、ＲＡＭ２８に処理選択フラグが記憶されているか否かを判別することにより行う。処理選択フラグがＲＡＭ２８に記憶されていた場合には、ステップＳ１５０に処理を戻し、これまで噴霧していた香料の噴霧を再開する。処理選択フラグがＲＡＭ２８に記憶されていない場合には、ステップＳ１１５（図５）に処理を戻し、センサ検知処理を行う。
【００５８】
ステップＳ１７５において、ＣＰＵ２４が一連の噴霧動作を終了する旨の受付をした場合には、ステップＳ１８０に処理を移し、一連の噴霧動作を終了する。具体的には、香料の噴霧を継続している場合は、ＣＰＵ２４は、圧力制御回路に停止信号を送り、香料噴射ヘッド５２からの噴霧を停止する。この処理が終了した場合には、ステップ１８５に処理を移す。
【００５９】
ステップＳ１８５では、ＣＰＵ２４は、一連の噴霧動作で噴霧した香料の種類等を記憶するか否かの受付を行う。具体的には、ＣＰＵ２４は、表示画面６に、噴霧した香料の種類等を記憶するか否かの選択肢を表示して、利用者からの選択の受付を行うことにより行う。記憶する旨の選択を受け付けた場合には、ＣＰＵ２４は、ステップＳ１９０に処理を移し、噴霧した香料の種類等を記憶しない旨の選択を受け付けた場合には、ステップＳ１９５に処理を移す。
【００６０】
ステップＳ１９０では、ＣＰＵ２４は、一連の噴霧動作で噴霧した香料の種類等の記憶処理を行う。具体的には、ＲＡＭ２８に一時的に記憶されている噴霧した香料の種類等のデータを香料選択データとして記憶する。この際、例えば、ＣＰＵ２４は、記憶した日付もしくは時間をデータファイル名として記憶してもよいし、また、表示画面６に５０音キーを表示して、利用者に十字キー５により一文字ずつ選択させ（図示せず）、データファイル名の設定を受け付けてもよい。この処理が終了した場合には、ステップＳ１９５に処理を移す。
【００６１】
ステップＳ１９５では、ＣＰＵ２４は、芳香装置１の動作を終了するか否かの判別を行う。具体的には、ＣＰＵ２４は、動作終了をするか否かを選択する表示を表示画面６に行い、利用者からの選択を受け付けることにより、判別する。又は、電源スイッチをＯＦＦにすることにより、芳香装置１の動作を終了するとしてもよい。これにより、メインフローは終了する。芳香装置１の動作を終了しない旨の選択を受け付けた場合は、ステップＳ１０５に処理を戻し、芳香装置１の動作を再開する。
【００６２】
[遊技開始検知処理]
図５のステップＳ１１０において実行される遊技開始検知処理のサブルーチンについて、図７を用いて説明する。
【００６３】
ステップＳ２００では、遊技機への遊技媒体の投入を検知する。具体的には、遊技機において、遊技媒体の投入の受付を行ったときに、芳香装置１への信号を送信する。芳香装置１は、遊技媒体投入検知部から遊技機からの信号を受け付け、ＣＰＵ２４が信号を受け取ることにより、検知する。尚、遊技媒体とは、コインや硬貨等の遊技機が遊技可能に制御するための受付をするためのものである。ＣＰＵ２４が遊技機からの信号を受け取った場合には、遊技媒体の投入がなされたとして、ステップＳ１１５（図５）に処理を移し、ＣＰＵ２４が遊技機からの信号を受け取らなかった場合には、ステップＳ２０５に処理を移す。
【００６４】
ステップＳ２０５では、遊技機へのクレジット投入を検知する。具体的には、遊技機において、クレジットの投入の受付を行ったときに、芳香装置１への信号を送信する。芳香装置１は、遊技機接続部６３から遊技機からの信号を受け付け、ＣＰＵ２４が信号を受け取ることにより、検知する。尚、クレジットとは、いわゆるプリペイドカードのように、遊技機を利用する際に、あらかじめ遊技機の利用権を購入しておき、そのデータをカード等に記憶したものである。ＣＰＵ２４が遊技機からの信号を受け取った場合には、クレジットの投入がなされたとして、本サブルーチンは終了し、ステップＳ１１５（図５）に処理を移す。また、ＣＰＵ２４が、クレジットの投入の受付をした旨の遊技機からの信号を受け取らなかった場合には、ステップＳ２００に処理を戻す。
【００６５】
[センサ検知処理]
図５のステップＳ１１５において実行されるセンサ検知処理のサブルーチンについて、図８を用いて説明する。
【００６６】
ステップＳ５００では、ＣＰＵ２４は、臭気センサ１２ａ、１２ｂ、１２ｃからの信号の受付を開始する。具体的には、信号処理回路３６において、信号処理を開始することにより行う。この処理が終了した場合には、ステップＳ５０５に処理を移す。
【００６７】
ステップＳ５０５では、基準データの収集を行う。具体的には、臭気センサ１２ａ、１２ｂ、１２ｃからの信号の受付を開始したときの各センサの信号値をＲＡＭ２８に記憶する。この始動時の信号値は、できれば、悪臭等が無い状態での、ある一定の時間の信号値の平均値等を採用することが好ましい。もしくは、悪臭等が無い状態の一定時間の信号値をあらかじめＲＡＭ２８に基準信号値データとして記憶しておき、ＣＰＵ２４は、ステップＳ５０５において、この基準信号値データをＲＡＭ２８から読み込むことにより行ってもよい。この処理が終了した場合には、ＣＰＵ２４は、ステップＳ５１０に処理を移す。
【００６８】
ステップＳ５１０では、臭気センサ１２ａ、１２ｂ、１２ｃにより臭気の検知を開始する。具体的には、臭気センサ１２ａ、１２ｂ、１２ｃからのリアルタイムの入力信号を信号処理回路３６が処理を開始し、ＣＰＵ２４が入力信号のモニターを開始する。この処理が終了した場合には、ステップＳ５１５に処理を移す。
【００６９】
ステップＳ５１５では、ＣＰＵ２４は、臭気センサ１２ａ、１２ｂ、１２ｃからの入力信号が閾値を超えたか否かの判別を行う。具体的には、ＣＰＵ２４は各センサにおける入力信号の、基準信号に対する変動値が、臭気判別テーブル７０の閾値フィールド７４上の各センサに対応する閾値を越えているか否かを判別する。ＣＰＵ２４が閾値を超えていると判別した場合には、ステップＳ５２０に処理を移し、ＣＰＵ２４が閾値を超えていないと判別した場合には、ステップＳ５１０に処理を戻す。
【００７０】
ステップＳ５２０では、ＣＰＵ２４は、臭気の種類を判別する。具体的には、例えば、ＣＰＵ２４は、ＲＡＭ２８に記憶している臭気判別テーブル７０（図３）を参照し、ステップＳ５１５において閾値を越えたセンサについて、臭気種類フィールド７６上で対応付けられている臭気の種類を参照する。例えば、センサＡにおいて、入力信号の変動値が１０００カウント以上であるとＣＰＵ２８が検知した場合には、タバコのにおいであると判別する。
この処理が終了した場合には、ステップＳ５２５に処理を移す。
【００７１】
ステップＳ５２５では、ＣＰＵ２４は、ステップＳ５２０で判別した臭気の種類に対応する香料の選択処理を行う。具体的には、例えば、図４の香料選択テーブル８０を参照し、ステップＳ５１５で閾値を超えたセンサに対応付けられている香料を、香料フィールド８４から選択する。尚、各香料は、それぞれ収納されているタンク名に関連付けられており、香料フィールドには、香料名ではなく、直接タンク名と関連付けてもよい。この処理が終了した場合には、ステップＳ５３０に処理を移す。
【００７２】
ステップＳ５３０では、芳香装置１がサーバ１００（図１０）との通信がなされているかを判別する。具体的には、例えば、図１０のように、サーバ１００に接続される芳香装置１ａ、１ｂ、１ｃ、１ｄ、１ｅ、１ｆがある。芳香装置１ａのＣＰＵ２４は、通信接続部６２を介して信号をサーバ１００に対して発信し、サーバ１００からの返信を受け取ることにより、サーバ１００との通信が開始される。この処理が終了した場合には、ステップＳ５３５に処理を移す。サーバ１００からの返信が無い場合には、本サブルーチンは終了し、図５のステップＳ１２０に処理を移す。
【００７３】
ステップＳ５３５では、香料の選択に際し、サーバ側における制限の有無を判別する。具体的には、例えば、ＣＰＵ２４は、ステップＳ５２５で選択した香料名等をサーバ１００に送信する。一方、サーバ側では、予めサーバ１００の記憶部（図示せず）に記憶した香料選択制限テーブル９０（図９）を参照して、当該芳香装置１の周辺の芳香装置１がすでに異なる香料を選択していたとき、当該芳香装置１で噴霧可能な香料について、香料指定データとして、当該芳香装置１に送信する。例えば、芳香装置１ａですでに香料レモンが選択されており、芳香装置１ｂが香料ラベンダーを選択したとする。すると、芳香装置１aと芳香装置１ｂは、隣り合う位置にあるので、サーバ側では、芳香装置１ｂで噴出する香料を香料レモンに変更する等である。
【００７４】
芳香装置１の送信に対して、サーバ１００からの香料指定データを受信することにより、芳香装置１のＣＰＵ２４は、香料の選択の制限があると判別する。この処理が終了した場合には、ステップＳ５４０に処理を移す。また、サーバ１００からの噴霧可能な香料についての香料指定データを受信しなかった場合は、サーバ側における香料選択の制限は無かったものとして本サブルーチンを終了し、ステップＳ１２０（図５）に処理を移す。
【００７５】
ステップＳ５４０では、芳香装置１のＣＰＵ２４は、サーバ１００から受信した香料指定データに基づいて、噴霧する香料の変更処理を行う。具体的には、香料指定データに基づいて、香料選択回路４８に制御指令を送り、ステップＳ５２５において選択した香料から、香料指定データにより指定された香料に変更する。この処理が終了した場合には、本サブルーチンを終了し、ステップＳ１２０（図５）に処理を移す。
【００７６】
[香料選択データ選択処理]
図５のステップＳ１３５において実行される香料選択データ選択処理のサブルーチンについて、図１１を用いて説明する。
【００７７】
ステップＳ３００では、ＣＰＵ２４は、香料選択データの読み込みを行うか否かを判別する。具体的には、ＣＰＵ２４は、表示画面６に図１４のように、ＲＡＭ２８に記憶している香料選択データファイル名の一覧を表示し、利用者による選択を受け付けてもよい。尚、外部記憶接続部に外部記憶装置を接続している場合には、外部記憶装置から直接香料選択データを読み取って表示画面６に表示してもよいし、一旦ＲＡＭ２８に一時的に記憶させてから表示画面６に表示してもよい。
【００７８】
ステップＳ３００において、ＣＰＵ２４は、データファイル名の選択の受付をした場合には、ステップＳ３０５に処理を移す。また、キャンセルボタン７ｂの押下を受け付けた場合は、香料選択データの読み込みをしないとして、図５のステップＳ１０５に処理を移す。
【００７９】
ステップＳ３０５では、ＣＰＵ２４は、香料選択データの読み込みを行う。具体的には、ＲＡＭ２８に記憶され、ステップＳ３００において選択された香料選択データファイルを読み込む。なお、外部記憶装置から直接読み込みを行ってもよい。この処理が終了した場合には、本サブルーチンを終了し、図５のステップＳ１５０に処理を移す。
【００８０】
[香料選択処理]
図５のステップＳ１４５において実行される香料選択処理のサブルーチンについて、図１２を用いて説明する。
【００８１】
ステップＳ４００では、ＣＰＵ２４は、噴霧する香料の選択を行うか否かの選択の受付を行う。具体的には、ＣＰＵ２４は、表示画面６に噴霧する香料の選択を行うか否かの選択肢を表示して、利用者からの入力ボタン７ａによる選択の受付をすることにより行う。ＣＰＵ２４は、噴霧する香料を選択する旨の受付をした場合には、ステップＳ４０５に処理を移し、噴霧する香料を選択しない旨の受付をした場合には、図５のステップＳ１０５に処理を移す。
【００８２】
ステップＳ４０５では、香料選択受付処理を行う。具体的には、図１５のように、現在香料の収納容器にセットされている香料名を表示画面６に表示して、利用者からの選択を受け付ける。また、単に香料タンク名のみを表示してもよく、香料名と香料タンク名を両方とも表示してもよい。さらに、噴霧する香料の選択は、１つのみとは限らず、同時に複数の香料名もしくは香料タンク名の選択を受け付けてもよい。この処理が終了した場合には、ステップＳ４１０に処理を移す。
【００８３】
ステップＳ４１０では、ＣＰＵ２４は、選択された香料名もしくは香料タンク名をＲＡＭ２８に記憶する。この処理が終了した場合には、本サブルーチンを終了し、図５のステップＳ１５０に処理を移す。
【００８４】
[噴霧時間及び噴霧間隔の判別処理]
図６のステップＳ１７０において実行される噴霧時間及び噴霧間隔の判別処理のサブルーチンについて、図１３を用いて説明する。
【００８５】
ステップＳ６００では、ＣＰＵ２４は、ステップＳ１６０（図６）において設定された噴霧時間が経過したか否かを判別する。具体的には、ステップＳ１２０において、タイマー６０により計測を開始した噴霧時間が、ステップＳ１６０（図６）において設定された噴霧時間を経過したか否かを判別する。噴霧時間が経過していないとＣＰＵ２４が判別した場合は、ステップＳ１５５（図６）に処理を戻す。噴霧時間が経過したとＣＰＵ２４が判別した場合には、ステップＳ６０５に処理を移し、香料の噴霧を停止する。
【００８６】
ステップＳ６１０では、ＣＰＵ２４は、噴霧間隔の設定の有無を判別する。具体的には、ステップＳ１６０(図６)においてＲＡＭ２８に格納した、噴霧時間・噴霧間隔設定データに噴霧間隔のデータの有無を判別する。噴霧間隔の設定が無い場合は、本サブルーチンを終了し、ステップＳ１７２（図６）に処理を移す。噴霧間隔の設定がある場合は、ステップＳ６１５に処理を移す。
【００８７】
ステップＳ６１５では、ＣＰＵ２４は、噴霧間隔時間が経過したか否かを判別する。具体的には、ステップＳ６０５において、タイマー６０により計測を開始した噴霧間隔時間が、ステップＳ１６０（図６）において設定された噴霧間隔時間を経過したか否かを判別する。噴霧間隔時間が経過したとＣＰＵ２４が判別した場合には、ステップＳ６２５に処理を移し、噴霧間隔時間が経過していないとＣＰＵ２４が判別した場合には、噴霧間隔時間が経過するまでこの判別を繰り返す。
【００８８】
ステップＳ６２５では、ＣＰＵ２４は、処理選択があったか否かを判別する。具体的には、ＲＡＭ２８に、ステップＳ１２５(図５)において、処理選択フラグが格納されていれば、処理の選択があったとして、ステップＳ１５０（図５）に処理を戻す。また、処理選択フラグが格納されていない場合は、ＣＰＵ２４は、処理選択は無かったと判別してステップＳ１１５（図５）に処理を移す。
【００８９】
以上、本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００９０】
【図１】本発明の好適な実施形態の一例に係る芳香装置１の概略構成を示した図である。
【図２】本発明の好適な実施形態の一例に係る芳香装置１の概略構成を示したブロック図である。
【図３】本発明の好適な実施形態の一例に係る芳香装置１における臭気判別テーブル７０である。
【図４】本発明の好適な実施形態の一例に係る芳香装置１における香料選択テーブル８０である。
【図５】本発明の好適な実施形態の一例に係る芳香装置１の処理の流れを示すフローチャートである。
【図６】本発明の好適な実施形態の一例に係る芳香装置１の処理の流れを示すフローチャートである。
【図７】本発明の好適な実施形態の一例に係る芳香装置１の処理の流れを示すフローチャートである。
【図８】本発明の好適な実施形態の一例に係る芳香装置１の処理の流れを示すフローチャートである。
【図９】本発明の好適な実施形態の一例に係るサーバ１００に記憶される香料選択制限テーブル９０である。
【図１０】本発明の好適な実施形態の一例に係る芳香システムの構成を示す図である。
【図１１】本発明の好適な実施形態の一例に係る芳香装置１の処理の流れを示すフローチャートである。
【図１２】本発明の好適な実施形態の一例に係る芳香装置１の処理の流れを示すフローチャートである。
【図１３】本発明の好適な実施形態の一例に係る芳香装置１の処理の流れを示すフローチャートである。
【図１４】本発明の好適な実施形態の一例に係る芳香装置１における香料選択データ選択表示時の表示例である。
【図１５】本発明の好適な実施形態の一例に係る芳香装置１における香料選択設定表示時の表示例である。
【図１６】本発明の好適な実施形態の一例に係る芳香装置１における噴霧時間・噴霧間隔設定表示時の表示例である。
【符号の説明】
【００９１】
１    芳香装置
１２ａ、１２ｂ、１２ｃ    臭気センサ
２４    ＣＰＵ
２６    ＲＯＭ
２８    ＲＡＭ
３４    Ａ/Ｄコンバータ
３６    信号処理回路
３８    コンプレッサ駆動回路
４０    コンプレッサ
４２    香料タンクポンプ駆動回路
４４    香料タンクポンプ
４８    香料選択回路
５０    圧力制御回路
５２    香料噴射ヘッド
６３    遊技機接続部
１００  サーバ
【図１】
2007007006.tif 000003
【図２】
2007007006.tif 000004
【図３】
2007007006.tif 000005
【図４】
2007007006.tif 000006
【図５】
2007007006.tif 000007
【図６】
2007007006.tif 000008
【図７】
2007007006.tif 000009
【図８】
2007007006.tif 000010
【図９】
2007007006.tif 000011
【図１０】
2007007006.tif 000012
【図１１】
2007007006.tif 000013
【図１２】
2007007006.tif 000014
【図１３】
2007007006.tif 000015
【図１４】
2007007006.tif 000016
【図１５】
2007007006.tif 000017
【図１６】
2007007006.tif 000018